(57)【要約】【課題】修理及び改造が容易で、ユニット型機械装置の製造期間の短縮が可能な、ユニット型機械装置の制御盤を提供する。【解決手段】ユニット型機械装置１０の機械装置本体を収容する筐体部分１３と一体に形成された筐体部分１２で制御盤の箱体を形成する。箱体の正面には、操作スイッチ２６が取り付けられた取付板１４、計器類が取り付けられた取付板１５が支持され、箱体内部の制御盤室には、制御機器類を前面に取り付けた取付板１６が筐体部分１２に支持される。取付板１４〜１６の配線は、コネクタによって相互に接続される。【選択図】    図１
2004342739.tif 000002
【特許請求の範囲】
【請求項１】
動力装置を含む機械装置本体が筐体内に収容されたユニット型機械装置の作動を制御する、ユニット型機械装置の制御盤において、
前記筐体の一部を構成し、該筐体内の空間の一部を区画して制御盤室を形成する筐体部分と、
前記筐体部分に取り外し可能に支持され、該筐体部分から外部に露出する計器／操作スイッチが前面に、該計器／操作スイッチに接続される配線が裏面にそれぞれ取り付けられた計器／操作スイッチ取付板と、
前記筐体部分に取り外し可能に支持され、前記制御盤室内に露出する制御機器及び該制御機器に接続される配線が取り付けられた制御機器取付板とを備えることを特徴とするユニット型機械装置の制御盤。
【請求項２】
前記計器／操作スイッチ取付板の配線と、前記制御機器取付板の配線とがコネクタを介して接続される、請求項１に記載のユニット型機械装置の制御盤。
【発明の詳細な説明】
【０００１】
【発明の属する技術分野】
本発明は、ユニット型機械装置の制御盤に関し、更に詳しくは、動力装置を含む機械装置本体が筐体内に収容されたユニット型機械装置の作動を制御する、ユニット型機械装置の制御盤に関する。
【０００２】
【従来の技術】
純水製造装置に代表されるユニット型機械装置が広範囲に用いられている。ユニット型機械装置は、一般に、モータ類を含む動力装置、動力装置によって動かされ機械的な作動を行う機械装置、及び、機械装置の作動に必要な水又は油等を供給する配管・バルブ類等を含む機械装置本体と、これら動力装置、機械装置、バルブ、及び、計器類を制御する制御盤とを備える。ユニット型機械装置は、一般に、工場で製造が行われ、完成試験を経た後に、客先まで運搬されてそこに据え付けられる。
【０００３】
ユニット型機械装置の制御盤は、制御盤の前面に監視用の計器や操作用のスイッチ等が配設され、これらは、機器付属の端子や盤内部の端子板を介して、制御盤内部に配設された制御機器類と接続されている。制御盤は、機械装置本体及びその制御の仕様が決定した後に、制御機器や計器、操作スイッチ等の個数や配置について設計が行われ、その詳細な設計及び製作は、機械装置本体とは別に、専門の業者によって行われる。
【０００４】
制御盤の箱体は、一般に前面又は背面に扉を有し、前面に計器や操作スイッチが配置され、制御盤内部に制御機器類が配置される。箱体は、機械装置と制御機器や操作スイッチ等とのセパレートや、防水／防湿上の考慮がなされ、且つ、出来るだけコンパクトに設計される。
【０００５】
【発明が解決しようとする課題】
制御盤は、上記のようにユニット型機械装置の本体部分とは別体に製作され、動力装置や機械装置等の本体部分が出来上がった後に、筐体部分に取り付けられる。その後、制御盤及び機械装置本体の配置に合わせて、配線ルートの設置や、配線の敷設及び接続を含む電気工事が行われる。このように、機械装置本体の設置工事と電気工事とがシリーズに行われるため、ユニット型機械装置の製造に多くの時間を要するという問題がある。
【０００６】
また、制御盤に何らかのトラブルが発生し、或いは、機械装置本体からの要請によって、制御盤に修理や改造が発生すると、制御盤内部における配線作業や、機器の交換、増設作業が必要になる。制御盤の箱体は、機械装置本体の配置に合わせて、また、内部機器や配線の数量に合わせてコンパクトに設計されるので、一般にその箱体内部は狭く、修理や改造が発生するとその際の作業能率が低いという問題もある。
【０００７】
本発明は、上記に鑑み、機械装置本体の設置工事と電気工事とを並行して行うこと、及び、盤内の修理や改造の際にも高い作業能率で修理や改造を行うことの双方を可能にする、ユニット型機械装置の制御盤を提供することを目的とする。
【０００８】
【課題を解決するための手段】
上記目的を達成するために、本発明のユニット型機械装置の制御盤は、動力装置を含む機械装置本体が筐体内に収容されたユニット型機械装置の作動を制御する、ユニット型機械装置の制御盤において、
前記筐体の一部を構成し、該筐体内の空間の一部を区画して制御盤室を形成する筐体部分と、
前記筐体部分に取り外し可能に支持され、該筐体部分から外部に露出する計器／操作スイッチが前面に、該計器／操作スイッチに接続される配線が裏面にそれぞれ取り付けられた計器／操作スイッチ取付板と、
前記筐体部分に取り外し可能に支持され、前記制御盤室内に露出する制御機器及び該制御機器に接続される配線が取り付けられた制御機器取付板とを備えることを特徴とする。
【０００９】
本発明のユニット型機械装置の制御盤によると、制御盤の箱体を、機械装置本体が収容される筐体部分と一体的に形成したので、計器／操作スイッチ取付板及び制御機器取付板が現場に搬入される以前に、配線ルートの設置や、配線の敷設が可能になる。このため、機械装置本体の据付工事と付属の電気工事とが並行して行われ、全体としてユニット型機械装置の製造期間の短縮が可能になる。また、制御盤に修理や改造が発生した場合には、計器／操作スイッチ取付板及び／又は制御機器取付板を筐体部分から取り外し外部で作業を行うことにより、修理や改造作業が効率的に行われ、その作業能率が向上する。
【００１０】
ここで、本発明で使用する用語「計器／操作スイッチ」とは、計器若しくは操作スイッチ、又は、計器及び操作スイッチを意味し、取付板に取り付けられる機器が、計器を含む場合、操作スイッチを含む場合、或いは、計器及び操作スイッチの双方を含む場合の何れをも包含するものであり、また、他の機器類や部品を含む場合を排除しない。同様に、本願発明では、制御機器取付板に取り付けられる機器が制御機器類以外の機器や部品を含む場合を排除しない。
【００１１】
本発明のユニット型機械装置の制御盤における好ましい態様では、前記計器／操作スイッチ取付板の配線と、前記制御機器取付板の配線とがコネクタによって接続される。この場合、計器／操作スイッチと制御機器との間の配線接続が容易になる。また、修理や改造の際には、単にコネクタを外すことで、又は、これと合わせて外部配線の接続を外すことで、計器／操作スイッチ取付板又は制御機器取付板の何れか又は双方を制御盤から持ち出して改造が可能であるので、修理や改造の際に特に高い作業能率が得られる。
【００１２】
【発明の実施の形態】
以下、図面を参照し本発明の実施形態例に基づいて本発明を更に詳細に説明する。図１は、本発明の一実施形態例に係る制御盤を備えるユニット型機械装置の正面を示している。ユニット型機械装置１０は、全体が筐体１１内に収容されており、筐体１１は、動力装置、機械装置、及び、配管・バルブ類を含む機械装置本体を収容し、機械室を区画する筐体部分１３と、機械室と分離して制御盤室を区画する筐体部分１２とから構成される。筐体１１は、底部に設けられた四つの車輪１７を利用して運搬可能であり、また、運搬後は、脚１８によって固定され、そこに据え付けられる。
【００１３】
制御盤箱体を構成する筐体部分１２の正面には、ランプ付き操作スイッチ２６等が前面に取り付けられた計器・操作スイッチ取付板１４と、指示計器２７等が前面に取り付けられた計器取付板１５とが配設されている。取付板１４、１５は、筐体部分１２に溶接で取り付けられたボルトによって、筐体部分１２に取り外し可能に支持されている。これら取付板１４、１５に取り付けられた計器類及び操作スイッチは、日常の運転のために、オペレータによって監視及び操作される。
【００１４】
図２（ａ）及び（ｂ）は、図１のＩＩ−ＩＩ矢視図であり、それぞれ、ユニット型機械装置１０の側面を、扉が閉まった状態及び開いた状態で示している。制御盤箱体を構成する筐体部分１２には、扉２１が設けられ、機械装置本体を収容する筐体部分１３には、扉２２が設けられている。扉２１を開けると、制御盤室内には、電源スイッチ２８を含む制御機器が前面に取り付けられた取付板１６が、筐体部分１２に支持される様子が示されている。取付板１６は、筐体部分１２に溶接で取り付けられたボルトによって、筐体部分１２に取り外し可能に支持されている。
【００１５】
図３（ａ）及び（ｂ）はそれぞれ、計器・操作スイッチ取付板１４及び制御機器取付板１６の詳細を示している。同図（ａ）において、計器・操作スイッチ取付板１４には、ランプ付き操作スイッチ２６、機械装置の運転状態を監視するモニター２５、及び、指示計器２４が前面に配設され、後面には、これら計器及び操作スイッチ等に接続された配線が取り付けられている。配線は、コネクタ３２に接続されている。
【００１６】
図３（ｂ）において、制御機器取付板１６には、電源スイッチ２８、制御リレー２９、電磁開閉器３０及び変圧器３１を含む制御機器が取り付けられている。これら制御機器に接続される配線は、内部ダクト３５を経由して、コネクタ３３に接続されている。コネクタ３２とコネクタ３３とを嵌合することによって、取付板１４と取付板１６の配線が相互に接続され、また、図示しないコネクタの嵌合によって、取付板１５と取付板１６の配線が相互に接続される。
【００１７】
機械装置本体が収容される筐体部分１３には、配線ルートを構成する配線ダクトがその天井部分及び側壁部分に配設されており、配線ダクトは、筐体部分１２と筐体部分１３との間の壁を貫通して、筐体部分１３の内部空間と制御盤室とを接続している。配線ダクトは、筐体の製作時に同時に製作・敷設される。装置本体の各機器と、取付板１４の上部に配設された端子台３４との間を接続する配線は、この配線ダクト内に収容される。筐体部分１３の内部空間と制御盤室との間の壁は、水密構造に形成されており、機械装置本体で発生する水滴等の飛散が、制御盤室内に侵入しない構造としてある。筐体１１は、例えば鋼板又はプラスチック製板から成る。
【００１８】
制御盤室内の渡り配線は、全てコネクタ接続であるので、何れの取付板１４〜１６がメンテナンスや改造のために外部に取り出される場合にも、単にコネクタの取り外し、又は、これに加えて外部配線の接続部取外しを行うことにより、取付板１４〜１６を容易に取り外すことが出来る。また、制御盤箱体を構成する筐体部分１２が、機械装置本体を収容する筐体部分１３と一体的に形成されているので、制御盤の取付板１４〜１６の搬入に先だって電気工事の大部分が行われる。このため、ユニット型機械装置の納期の大幅な短縮が可能になる。
【００１９】
以上、本発明をその好適な実施形態例に基づいて説明したが、本発明のユニット型機械装置の制御盤は、上記実施形態例の構成にのみ限定されるものではなく、上記実施形態例の構成から種々の修正及び変更を施したものも、本発明の範囲に含まれる。
【００２０】
【発明の効果】
以上、説明したように、本発明のユニット型機械装置の制御盤によると、機械装置本体を収容する筐体部分と制御盤の箱体とを一体的に形成したので、ユニット型機械装置の製造に要する期間が短縮でき、納期短縮が可能になると共に、修理や改造等に際してその作業能率の向上が可能になる。
【図面の簡単な説明】
【図１】本発明の一実施形態例に係る制御盤を有するユニット型機械装置の筐体正面図。
【図２】（ａ）及び（ｂ）はそれぞれ、扉を閉めた状態及び開けた状態で示す、図１のユニット型機械装置の筐体のＩＩ−ＩＩ矢視図。
【図３】（ａ）及び（ｂ）はそれぞれ、取付板１４及び１６の詳細を示す取付板前面図。
【符号の説明】
１０：ユニット型機械装置
１１：筐体
１２、１３：筐体部分
２１、２２：扉
１４：計器・操作スイッチ取付板
１５：計器取付板
１６：制御機器取付板
１７：車輪
１８：据付ボルト
２１：扉
２２：扉
２４：指示計器
２５：運転監視モニター
２６：ランプ付き操作スイッチ
２７：指示計器
２８：電源スイッチ
２９：制御リレー
３０：電磁開閉器
３１：変圧器
３２、３３：コネクタ
３４：端子台
３５：内部ダクト
【図１】
2004342739.tif 000003
【図２】
2004342739.tif 000004
【図３】
2004342739.tif 000005